(57)【要約】【課題】ユーザの活動状態に応じて表示態様を切り替える。【解決手段】表示態様切替え処理システム１は、タッチ画面３２とユーザの環境状態を取得する位置センサ３４などとを有する携帯端末１０，２０と、携帯端末１０，２０との間で通信可能なネットサーバ５０とを、備える。表示態様切替え処理システム１では、ネットサーバ５０が、携帯端末１０，２０の位置センサ３４などにより取得されたユーザの環境情報４０ｃに基づいて、ユーザの活動状態を判別する判別手段を有し、他方、携帯端末１０，２０は、前記ユーザの活動状態に応じて、タッチ画面３２の表示態様を切り替えるＣＰＵ３０を有する。【選択図】図３
2014182546.tif 000002
【特許請求の範囲】
【請求項１】
表示画面と、
ユーザの環境情報を取得する環境情報取得手段と、
前記環境情報取得手段により取得されたユーザの環境情報に基づいて、ユーザの活動状態を判別する活動状態判別手段と、
前記活動状態判別手段により判別されたユーザの活動状態に応じて、前記表示画面の表示態様を切り替える制御を行なう表示態様切替え制御手段と、
を備えることを特徴とする情報表示制御装置。
【請求項２】
請求項１に記載の情報表示制御装置において、
前記ユーザの活動状態にはビジネス状態とプライベート状態とが含まれ、
前記表示態様切替え制御手段は、前記ユーザの活動状態がビジネス状態かプライベート状態かで、時計画像の時分を個別に表示するか混在させて表示するかを、切り替えることを特徴とする情報表示制御装置。
【請求項３】
請求項２に記載の情報表示制御装置において、
前記ユーザの活動状態には口頭発表時と聴講時とが含まれ、
前記表示態様切替え制御手段は、前記ユーザの活動状態が口頭発表時か聴講時かで、時計画像を傾斜させて表示するか傾斜させずに表示するかを、切り替えることを特徴とする情報表示制御装置。
【請求項４】
請求項２に記載の情報表示制御装置において、
前記ユーザの活動状態にはプライベート状態でかつスポーツ状態が含まれ、
前記表示態様切替え制御手段は、前記ユーザの活動状態がプライベート状態でかつスポーツ状態であるとき、時計画像の時分を段階的に変動させて表示することを特徴とする情報表示制御装置。
【請求項５】
請求項２に記載の情報表示制御装置において、
前記ユーザの活動状態にはプライベート状態でかつ安静状態であって予定がある場合が含まれ、
前記表示態様切替え制御手段は、前記ユーザの活動状態がプライベート状態でかつ安静状態であって予定があるとき、時計画像の時分を予定時刻に合わせて段階的に変動させて表示することを特徴とする情報表示制御装置。
【請求項６】
表示画面とユーザの環境情報を取得する環境情報取得手段とを有するコンピュータに、
前記環境情報取得手段により取得されたユーザの環境情報に基づいて、ユーザの活動状態を判別する活動状態判別機能と、
前記活動状態判別機能により判別されたユーザの活動状態に応じて、前記表示画面の表示態様を切り替える制御を行なう表示態様切替え制御機能と、
を実現させることを特徴とする表示態様切替え処理プログラム。
【請求項７】
表示画面とユーザの環境情報を取得する環境情報取得手段とを有する携帯端末と、前記携帯端末との間で通信可能なサーバとを、備える表示態様切替え処理システムにおいて、
前記サーバが、前記環境情報取得手段により取得されたユーザの環境情報に基づいて、ユーザの活動状態を判別する活動状態判別手段を有し、
前記携帯端末が、前記ユーザの活動状態に応じて、前記表示画面の表示態様を切り替える制御を行なう表示態様切替え制御手段を有することを特徴とする表示態様切替え処理システム。
【発明の詳細な説明】
【技術分野】
【０００１】
本発明は情報表示制御装置、表示態様切替え処理プログラムおよび表示態様切替え処理システムに関する。
【背景技術】
【０００２】
リスト端末や携帯電話などの携帯端末に代表される、昨今の情報表示制御装置においては、表示画面のバックライトの輝度を変化させるだけでなく、表示態様（たとえば、時計画像の配置や壁紙など）をユーザの好みのものに変更することが可能である。
しかし、いわゆるＴＰＯ（Time（時間）、Place（場所）、Occasion（場合））を配慮すれば、その状況に応じて、ユーザ自身がその都度その都度手動で表示態様の切替えを行う必要があり、従来の携帯端末などの情報表示制御装置では、たとえばユーザがビジネス中なのかプライベート中なのかなどに応じた、表示態様を使い分ける際の利便性に欠けていた。
【０００３】
このような状況において、特許文献１では、表示画面自動切り替え方法が提案されている。具体的に特許文献１の技術では、設定した現在位置から端末の移動速度を算出するとともに、端末の位置・角度、照度などを検出し、移動速度や位置・角度、照度などの使用状況から、最適な画面表示を自動決定している。
たとえば、オブジェクトのサイズや太さ、輝度などを変更したり（段落００２６〜００２７、図２、図３参照）、表示画面の見る方向に対応してオブジェクトの形状を変更させたりしている（段落００２８、図４参照）。
【先行技術文献】
【特許文献】
【０００４】
【特許文献１】特開平１１−０６５８１０号公報
【発明の概要】
【発明が解決しようとする課題】
【０００５】
しかしながら、特許文献１の表示画面自動切り替え方法では、表示対象物は変わらずにその外観にのみ変化を加えているだけで、ユーザの状況に応じたものとはいえない。
本発明の課題は、ユーザの活動状態に応じて表示態様を切り替えることができる情報表示制御装置、表示態様切替え処理プログラムおよび表示態様切替え処理システムを提供することである。
【課題を解決するための手段】
【０００６】
以上の課題を解決するため、本発明は、情報表示制御装置において、
表示画面と、
ユーザの環境情報を取得する環境情報取得手段と、
前記環境情報取得手段により取得されたユーザの環境情報に基づいて、ユーザの活動状態を判別する活動状態判別手段と、
前記活動状態判別手段により判別されたユーザの活動状態に応じて、前記表示画面の表示態様を切り替える制御を行なう表示態様切替え制御手段と、
を備えることを特徴とする。
【発明の効果】
【０００７】
本発明によれば、ユーザの活動状態に応じて表示態様を切り替えることができる。
【図面の簡単な説明】
【０００８】
【図１】情報表示制御装置（携帯端末）の一例（リスト端末）の外観図である。
【図２】情報表示制御装置（携帯端末）の他の例（携帯電話）の外観図である。
【図３】表示態様切替え処理システムの概略構成を示すブロック図である。
【図４】表示態様切替え処理の流れを示すフローチャートである。
【図５】ユーザ活動状態判別処理の流れを示すフローチャートである。
【図６】図５の後続の処理の流れを示すフローチャートである。
【図７】ユーザの活動状態がビジネス状態である場合の表示態様例を示す図である。
【図８】ユーザの活動状態がプライベート状態である場合の表示態様例を示す図である。
【図９】時間対応修正処理の流れを示すフローチャートである。
【図１０】ユーザの活動状態がプライベート状態でかつスポーツ状態である場合の表示態様例を示す図である。
【図１１】ユーザの活動状態がプライベート状態でかつ安静状態であって予定がある場合の表示態様例を示す図である。
【発明を実施するための形態】
【０００９】
以下、添付図面を参照して本発明に係る実施の形態の一例を詳細に説明する。
ただし、発明の範囲は、図示例に限定されない。
【００１０】
［構成］
図１は本発明における情報表示制御装置を適用したリスト端末１０の外観図である。
図２は本発明における情報表示制御装置を適用した携帯電話２０の外観図である。
図３は本発明における表示態様切替え処理システム１の概略構成を示すブロック図である。
【００１１】
図１に示すように、情報表示制御装置の一例であるリスト端末１０は、たとえば腕時計状に形成されており、ユーザの手首に装着されるようになっている。
図２に示すように、情報表示制御装置の他の例である携帯電話２０は、たとえば平板状に形成されており、ユーザの衣服のポケットやカバンなどに収納されユーザと一緒に携帯されるようになっている。
図３に示すように、これらリスト端末１０，携帯電話２０は表示態様切替え処理システム１の一部を構成している。リスト端末１０，携帯電話２０は互いに共通の制御構成を有しており、ＣＰＵ３０、タッチ画面３２、位置センサ３４、加速度センサ３６、画像撮影部３８、メモリ４０、無線通信部４２、近距離通信部４４などを備えて構成されている。
【００１２】
タッチ画面３２はいわゆる静電式タッチパネルである。
タッチ画面３２は、文字などを入力するためキー群を表示し、押下されたキーの種類や位置に対応する信号をＣＰＵ３０に出力したり、ＣＰＵ３０から入力される表示信号に基づいて時計画像などの各種情報を表示するようになっている。
【００１３】
位置センサ３４はいわゆるＧＰＳセンサである。位置センサ３４は、ＣＰＵ３０の命令やユーザ操作などに応じてＯＮ（通電状態）に設定され、センシング動作を行うようになっている。
加速度センサ３６はリスト端末１０，携帯電話２０に加わる加速度を３軸方向の成分に分解して測定するセンサである。加速度センサ３６も、ＣＰＵ３０の命令やユーザ操作などに応じてＯＮ（通電状態）に設定され、センシング動作を行うようになっている。
照度センサ３８は紫外線の照度を測定するセンサ（いわゆるカメラ）であって、被写体を撮影する機能も有している。照度センサ３８も、ＣＰＵ３０の命令やユーザ操作などに応じてＯＮ（通電状態）に設定され、センシング動作を行うようになっている。
本実施形態では、これらセンサはユーザ（リスト端末１０，携帯電話２０）の環境情報を取得するのに使用される。
【００１４】
メモリ４０は、リスト端末１０，携帯電話２０の各種機能を実現するためのプログラムやデータを記憶するとともに、ＣＰＵ３０の作業領域として機能するメモリである。
本実施の形態においては、メモリ４０には、表示態様切替え処理プログラム４０ａなどが記憶されており、ユーザのスケジュールデータ４０ｂも予めユーザ操作に応じて記憶されている。また、メモリ４０には、位置センサ３４や加速度センサ３６、照度センサ３８などにより取得された位置情報、加速度情報、照度情報を含むユーザ環境情報４０ｃも、随時取得され記憶されるようになっている。
表示態様切替え処理プログラム４０ａは、後述の表示態様切替え処理（図４〜図６、図９参照）を、ＣＰＵ３０やネットサーバ５０に実行させるためのプログラムである。
【００１５】
無線通信部４２は、ネットサーバ５０との間での無線通信を行うようになっている。なお、無線通信の方式としては、Ｗｉ−Ｆｉ基地局６２（アクセスポイント）を経由してネットワーク６０と接続されるＷｉ−Ｆｉ通信などの無線ＬＡＮや、携帯基地局６４を経由してネットワーク６０と接続される携帯通信などを用いることができる。
本実施形態では、ネットサーバ５０において、リスト端末１０，携帯電話２０のタッチ画面３２に表示させうる態様として、ユーザの活動状態に応じた複数種の表示態様があらかじめ記憶されており（図７〜図８参照）、かかる表示態様のうちから最適な表示態様が選定されるようになっている。
【００１６】
近距離通信部４４は近距離通信端末５２（パソコンやタブレット端末など）との間での無線通信を行うようになっている。なお、無線通信の方式としては、Bluetooth（登録商標）などを用いることができ、本実施の形態においてはBluetooth（登録商標）が用いられている。
【００１７】
ＣＰＵ３０は、リスト端末１０，携帯電話２０の各部を中央制御する。
具体的には、ＣＰＵ３０は、メモリ４０に記憶されているシステムプログラム（表示態様切替え処理プログラム４０ａを含む。）及び各種アプリケーションプログラムの中から指定されたプログラムを展開し、展開されたプログラムとの協働で、各種処理を実行する。
【００１８】
［動作］
＜表示態様切替え処理＞
続いて、リスト端末１０，携帯電話２０とネットサーバ５０とによって実行される表示態様切替え処理について、図面を参照しつつ説明する。
【００１９】
図４は、表示態様切替え処理の動作を説明するためのフローチャートである。
なお、この表示態様切替え処理は、リスト端末１０，携帯電話２０が起動されると、メモリ４０から表示態様切替え処理プログラムが読み出されて適宜展開される結果、当該表示態様切替え処理プログラムとＣＰＵ３０との協働によって実行され、それに伴いネットサーバ５０も使用され、ネットサーバ５０においても一定の処理が実行される。
【００２０】
図４左欄に示すように、まずは、リスト端末１０，携帯電話２０において、ＣＰＵ３０は、位置センサ３４、加速度センサ３６および照度センサ３８を作動させ位置情報、加速度情報および照度情報を含むユーザ環境情報４０ｃを取得して随時メモリ４０の該当エリアに記憶する（ステップＳＡ１）。
ここでの「位置情報」には、位置センサ３４（ＧＰＳ）から取得される場合に加え、Ｗｉｆｉ通信の通信記録から取得される場合もある。
その後、ＣＰＵ３０は、ユーザのスケジュールデータ、取得したユーザ環境情報４０ｃ（位置情報、加速度情報および照度情報）をネットサーバ５０に送信するとともに、併せて現在のタッチ画面３２の表示態様を読み出しそれをフェイス情報としてネットサーバ５０に送信する（ステップＳＡ２，ＳＡ３）。
【００２１】
その後、図４右欄に示すように、ネットサーバ５０は、リスト端末１０，携帯電話２０から送信されたスケジュールデータ、ユーザ環境情報４０ｃ（位置情報、加速度情報および照度情報）ならびにフェイス情報を、それぞれ受信する（ステップＳＢ１，ＳＢ２）。
その後、ネットサーバ５０は、受信したユーザ環境情報４０ｃの１つである位置情報と地図情報とをマッチングして現在地を把握し、現在地情報を取得する（ステップＳＢ３）。
その後、ネットサーバ５０はユーザ活動状態判別処理に移行し、ユーザの活動状態、すなわち（ｉ）ビジネス状態なのか（ｉｉ）プライベート状態なのか（ｉｉｉ）プライベート状態でかつスポーツ状態なのか（ｉｖ）プライベート状態でかつ安静状態なのかを、判別する（ステップＳＢ４）。
【００２２】
＜ユーザ活動状態判別処理＞
図５および図６は、ユーザ活動状態判別処理の動作を説明するためのフローチャートである。
図５に示すように、ネットサーバ５０はまず、現在地情報を、ＧＰＳの検出結果に基づくユーザ環境情報４０ｃの１つである位置情報から取得したか否かを判定する（ステップＴＢ１）。
現在地情報をＧＰＳに基づく位置情報から取得したときは（ステップＴＢ１；ＹＥＳ）、ネットサーバ５０は、現在地情報がビジネス用施設の所在地を示唆するか否かを判定する（ステップＴＢ２）。
ここでの「ビジネス用施設」とは、たとえば、ユーザ自身の会社やその取引先の会社などである。
現在地情報がビジネス用施設の所在地を示唆するときは（ステップＴＢ２；ＹＥＳ）、ネットサーバ５０は、ユーザの活動状態が「ビジネス状態」であると判別する（ステップＴＢ３）。
他方、現在地情報がビジネス用施設の所在地を示唆しないときは（ステップＴＢ２；ＮＯ）、ネットサーバ５０は、現在地情報がプライベート用施設の所在地を示唆するものと処理し（ステップＴＢ４）、ユーザの活動状態が「プライベート状態」であると判別する（ステップＴＢ５）。
ここでの「プライベート用施設」とは、たとえば、遊園地や公園、スポーツジムなどであり、ユーザの自宅も含まれる。
【００２３】
ステップＴＢ１において現在地情報をＧＰＳに基づく位置情報から取得していないときは（ステップＴＢ１；ＮＯ）、ネットサーバ５０は、現在地情報を、Ｗｉｆｉ通信の通信記録に基づく位置情報から取得したか否かを判定し（ステップＴＢ６）、その判定結果に応じてステップＴＢ２〜ＴＢ５と同様の処理を実行する（ステップＴＢ７〜ＴＢ１０）。
【００２４】
その後、図６に示すように、ネットサーバ５０は、判別したユーザの活動状態がプライベート状態であるとき、受信したユーザ環境情報４０ｃの１つである加速度情報から一定の加速度波形が検出されたか否かを判定する（ステップＴＢ１１）。
一定の加速度波形が検出されたときは（ステップＴＢ１１；ＹＥＳ）、ネットサーバ５０は、その加速度波形がスポーツ時における加速度を示す波形か否かを判定する（ステップＴＢ１２）。
ここでの「スポーツ」とは、ジョギングやサイクリングなどをいい、歩行よりも加速度が大きく一定の継続性を有する動きをいう。
検出された波形がスポーツ時の波形であるときは（ステップＴＢ１２；ＹＥＳ）、ネットサーバ５０は、ユーザの活動状態が「プライベート状態でかつスポーツ状態」であると判別する（ステップＴＢ１３）。
他方、検出された波形がスポーツ時の波形でないときは（ステップＴＢ１２；ＮＯ）、ネットサーバ５０は、その加速度波形が安静時における加速度を示す波形か否かを判定する（ステップＴＢ１４）。
ここでの「安静」とは、ユーザが自宅でくつろいでいたり就寝中であったりすることをいい、微小な動きが間欠的に連続したり、一定期間動きのないことをいう。
検出された波形が安静時の波形であるときは（ステップＴＢ１４；ＹＥＳ）、ネットサーバ５０は、ユーザの活動状態が「プライベート状態でかつ安静状態」であると判別する（ステップＴＢ１５）。
【００２５】
ステップＴＢ１１において一定の加速度波形が検出されなかったときは（ステップＴＢ１１；ＮＯ）、ネットサーバ５０は、これまでの処理でユーザの活動状態を判別できたか否かを判定する（ステップＴＢ１６）。
ここまでのユーザの活動状態には「ビジネス状態」、「プライベート状態」、「プライベート状態でかつスポーツ状態」および「プライベート状態でかつ安静状態」の４種が含まれる。
ユーザの活動状態を判別できたときは（ステップＴＢ１６；ＹＥＳ）、ネットサーバ５０は、図４の処理に復帰する。
他方、ユーザの活動状態を判別できなかったときは（ステップＴＢ１６；ＮＯ）、ネットサーバ５０は、受信したスケジュールデータにおける現在時刻のスケジュールに応じて、ユーザの活動状態を「ビジネス状態」または「プライベート状態」と自動的に設定し（ステップＴＢ１７）、図４の処理に復帰する。
たとえば、スケジュールデータ中で現在時刻に対応するスケジュールが、仕事中であるときは「ビジネス状態」と、休暇中であるときは「プライベート状態」などと、設定される。
【００２６】
なお、以上のユーザ活動判別処理では、リスト端末１０，携帯電話２０がネットサーバ５０との間で制御信号を送受信し、ＣＰＵ３０が、ネットサーバ５０を外部機器として使用しながら実質的にユーザ活動状態判別処理を実行し、ユーザの活動状態を判別するようにしてもよい。
【００２７】
＜表示態様切替え処理（続き）＞
図４右欄に示すように、ネットサーバ５０は、判別・設定されたユーザの活動状態に基づき、それに対応する表示態様を選定する（ステップＳＢ５）。
たとえば、判別・設定されたユーザの活動状態がビジネス状態であるとき、ネットサーバ５０は、図７のような表示態様を選定する。図７の表示態様では、実用面が重視されており、無模様で時計画像の時分がそれぞれ独立した状態で個別に表示されている。図７（ａ）〜（ｃ）では時間表示と分表示が別領域に個別に表示され、図７（ｄ）では時間軸と分軸とが別領域に個別に表示されている。
なお、上記のユーザ活動状態判別処理においては、たとえば、ユーザの活動状態に加えてユーザの性別も判別され、男性には濃色や寒色（図７（ａ）参照）が、女性には淡色や暖色（図７（ｂ）参照）がそれぞれ選定されてもよい。
さらに、ユーザの活動状態がより詳細に判別される意味で、ユーザ環境情報４０ｃに含まれる位置情報（現在地情報）や加速度情報に基づき、ユーザのビジネス状態が会議やミーティング、プレゼンなどにおける口頭発表時か聴講時かも判別され、口頭発表時には時計画像が傾斜して表示される態様が選定され（図７（ｃ）参照）、聴講時には時計画像が傾斜されずに表示される態様が選定されるようにしてもよい（図７（ｄ）参照）。時計画像が傾斜していれば、ユーザは、口頭発表時においても、手首に装着したリスト端末１０のタッチ画面３２中の当該時計画像を、上着の袖から容易に覗き込むができる。
他方、判別・設定されたユーザの活動状態がプライベート状態であるとき、ネットサーバ５０は、図８のような表示態様を選定する。図８の表示態様では、デザイン面が重視されており、時計画像の時分がそれぞれ混在した状態で表示されている。図８（ａ）〜（ｂ）では模様があり、図８（ａ）では時間表示と分表示とが部分的に重なっており、図８（ｂ）〜（ｄ）では時間軸と分軸とが共通している。
かかる場合も、上記のユーザ活動状態判別処理において、ユーザの性別も判別され、男性には濃色や寒色（図８（ａ）参照）が、女性には淡色や暖色（図８（ｂ）参照）がそれぞれ選定されてもよいし、口頭発表時か聴講時かも判別され、口頭発表時には時計画像が傾斜して表示される態様が選定され（図８（ｃ）参照）、聴講時には時計画像が傾斜されずに表示される態様が選定されるようにしてもよい（図８（ｄ）参照）。
このように、ユーザの活動状態がビジネス状態かプライベート状態かに応じて表示態様が自動的に選定されれば、ユーザは、ストレスを感じることなく自己の現実の状況に応じた適切な表示を視認することができる。
【００２８】
その後、ネットサーバ５０は、受信したユーザ環境情報４０ｃの１つである照度情報に基づき、選定した表示態様のコントラストを修正する（ステップＳＢ６）。
たとえば、ユーザが屋外に滞在しており、受信した照度情報に基づく照度が一定値以上であるときは、選定した表示態様において、明暗の差が強められたり、文字部分が太くされたりされる。
【００２９】
その後、ネットサーバ５０は、選定した表示態様と受信したフェイス情報に基づく表示態様とを比較する（ステップＳＢ７）。
表示態様が同じであるときは（ステップＳＢ７；ＮＯ）、ネットサーバ５０は、リスト端末１０，携帯電話２０の表示態様を切り替える必要はないと判断し、表示態様切替え処理を終了する。
他方、表示態様が互いに異なるときは（ステップＳＢ７；ＹＥＳ）、ネットサーバ５０は、受信したフェイス情報に基づく表示態様を、選定した表示態様に変更する旨の通知をリスト端末１０，携帯電話２０に送信する（ステップＳＢ８）。
【００３０】
その後、図４左欄に示すように、リスト端末１０，携帯電話２０において、ＣＰＵ３０は、ネットサーバ５０から表示態様を変更する旨の通知を受信したか否かを判定し（ステップＳＡ４）、ＣＰＵ３０がその通知を受信するまで、ステップＳＡ１〜ＳＡ３、ステップＳＢ１〜ＳＢ８の処理が繰り返される（ステップＳＡ４；ＮＯ）。
表示態様の変更通知を受信したとき（ステップＳＡ４；ＹＥＳ）、ＣＰＵ３０は、ネットサーバ５０の変更通知の内容に基づき、リスト端末１０，携帯電話２０のタッチ画面３２の現在の表示態様を、ネットサーバ５０で選定された表示態様に切り替える（ステップＳＡ５）。
たとえば、現在の表示態様が図７（ビジネス状態）の態様で、ネットサーバ５０で選定された表示態様が図８（プライベート状態）の態様であるときは、図７の態様から図８の態様に切り替えられる。
その後、ＣＰＵ３０は、時間対応修正処理に移行し（ステップＳＡ６）、切替え後の表示態様を時間情報にも対応しうる表示態様に修正する。
【００３１】
＜時間対応修正処理＞
図９は、時間対応修正処理の流れを示すフローチャートである。
図９に示すように、ＣＰＵ３０は、ネットサーバ５０の変更通知の内容に基づき、切替え後の表示態様がプライベート状態でかつスポーツ状態に対応するか否かを判定する（ステップＴＡ１）。
プライベート状態でかつスポーツ状態に対応するときは（ステップＴＡ１；ＹＥＳ）、ＣＰＵ３０は、リスト端末１０，携帯電話２０の時計画像における時分のうち、いずれかを段階的に変動させながら表示する態様に修正する（ステップＴＡ２）。
たとえば、ネットサーバ５０で選定された表示態様が図１０のような態様を有する場合、図１０（ａ）〜（ｄ）に示すように、「分」の部分が所定時間おきに拡大する態様に修正される。
かかる表示態様の修正によれば、たとえば、ユーザは、ジョギングまたはサイクリング中において激しく体が揺れ動いていたり疲労が蓄積していたりするような場合でも、その走行時間を容易に視認することができる。
【００３２】
他方、プライベート状態でかつスポーツ状態に対応しないときは（ステップＴＡ１；ＮＯ）、ＣＰＵ３０は、切替え後の表示態様がプライベート状態でかつ安静状態に対応するか否かを判定する（ステップＴＡ３）。
プライベート状態でかつ安静状態に対応するときは（ステップＴＡ３；ＹＥＳ）、ＣＰＵ３０は、スケジュールデータに基づき、ユーザのその日のスケジュールにおいてその後に予定があるか否か、を判定する（ステップＴＡ４）。
予定があるときは（ステップＴＡ４；ＹＥＳ）、ＣＰＵ３０は、リスト端末１０，携帯電話２０の時計画像における時分を予定時刻に合わせて段階的に変動させながら表示する態様に修正する。
たとえば、ＣＰＵ３０は、現在時刻が予定時刻の３時間前か否かを判定し（ステップＴＡ５）、予定時刻の３時間前になったときに（ステップＴＡ５；ＹＥＳ）、時計画像における「時」のサイズを１段階拡大させる（ステップＴＡ６）。
以後、これと同様に、ＣＰＵ３０は、現在時刻が予定時刻の２時間前か否か、１時間前か否かを判定し、その判定結果により、時計画像における「時」のサイズを１段階ずつ拡大させ（ステップＴＡ７〜ＴＡ１０）、さらに現在時刻が予定時刻の３０分前か否か、２０分前か否か、１０分前か否かを判定し、その判定結果により、時計画像における「分」のサイズを１段階ずつ拡大させる（ステップＴＡ１１〜ＴＡ１６）。図１１（ａ）〜（ｃ）は時計画像における「時」のサイズを段階的に拡大した態様を示す例であり、図１１（ｃ）〜（ｄ）は時計画像における「分」のサイズを段階的に拡大した態様を示す例である。
そして現在時刻が予定時刻に達したときには、時計画像における「時」の部分と「分」の部分とが、点滅するような態様とされてもよい。
かかる表示態様の修正によれば、たとえば、他人との待ち合わせ予定がある場合に、ユーザは、待ち合わせ時間までの時間を正確に把握することができ、遅刻するような事態を回避することができる。
【００３３】
以上の本実施の形態によれば、ステップＳＡ１やステップＳＢ４〜ＳＢ６、ステップＳＡ５などに示したように、ユーザの位置情報、加速度情報および照度情報を含むユーザ環境情報４０ｃが取得され、このユーザ環境情報４０ｃに基づきユーザの活動状態が判別され、ユーザの活動状態に応じて表示画面の表示態様が選定され、これがリスト端末１０，携帯電話２０におけるタッチ画面３２の表示態様とされるから、ユーザの活動状態に応じて表示態様を切り替えることができる。
かかる場合、ユーザは、現実の活動状態に応じて適切な表示を視認することができ、特に、ユーザ自身がいわゆるＴＰＯを配慮したときに、ユーザは手動で表示態様の切替えを行う必要がなくなり、ストレスを感じずに時間関連情報を視認することができる。
【００３４】
なお、上記の実施の形態における表示態様切替え処理システム１の各構成要素の細部構成及び細部動作に関しては、本発明の趣旨を逸脱しない範囲で適宜変更可能であることは勿論である。
【００３５】
たとえば、表示態様切替え処理における図４右欄、図５および図６の各処理は、外部機器として、ネットサーバ５０が使用されずに、近距離通信端末５２が使用されてもよい。これら各処理はリスト端末１０，携帯電話２０とネットサーバ５０または近距離通信端末５２との間でデータが送受信され実行されるが、リスト端末１０，携帯電話２０でのみ実行されてもよい。すなわち、リスト端末１０，携帯電話２０のＣＰＵ３０が単独で、図４左欄（ステップＳＡ１）、図４右欄（ステップＳＢ３〜ＳＢ７）、図５〜図６（ステップＴＢ１〜ＴＢ１７）および図４左欄（ステップＳＡ５〜ＳＡ６）の各処理を実行してもよい。かかる場合、メモリ４０に対し、ユーザの活動状態に応じた複数種の表示態様（図７〜図８参照）があらかじめ記憶される。
また、図５〜図６のユーザ活動状態判別処理では、照度センサ３８の照度情報に基づき、ユーザは屋外にいるのか屋内にいるのかが判定され、ユーザの活動状態がより正確に判別されてもよいし、リスト端末１０，携帯電話２０において位置センサ３４、加速度センサ３６および照度センサ３８以外にも他のユーザ環境情報４０ｃを取得しうるセンサが搭載され、そのセンサの検出結果も利用してユーザの活動状態がより細かに判別されてもよい。
【００３６】
以上、本発明のいくつかの実施形態を説明したが、本発明の範囲は、上述の実施の形態に限定するものではなく、特許請求の範囲に記載された発明の範囲とその均等の範囲を含む
【００３７】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示画面と、
ユーザの環境情報を取得する環境情報取得手段と、
前記環境情報取得手段により取得されたユーザの環境情報に基づいて、ユーザの活動状態を判別する活動状態判別手段と、
前記活動状態判別手段により判別されたユーザの活動状態に応じて、前記表示画面の表示態様を切り替える制御を行なう表示態様切替え制御手段と、
を備えることを特徴とする情報表示制御装置。
＜請求項２＞
請求項１に記載の情報表示制御装置において、
前記ユーザの活動状態にはビジネス状態とプライベート状態とが含まれ、
前記表示態様切替え制御手段は、前記ユーザの活動状態がビジネス状態かプライベート状態かで、時計画像の時分を個別に表示するか混在させて表示するかを、切り替えることを特徴とする情報表示制御装置。
＜請求項３＞
請求項２に記載の情報表示制御装置において、
前記ユーザの活動状態には口頭発表時と聴講時とが含まれ、
前記表示態様切替え制御手段は、前記ユーザの活動状態が口頭発表時か聴講時かで、時計画像を傾斜させて表示するか傾斜させずに表示するかを、切り替えることを特徴とする情報表示制御装置。
＜請求項４＞
請求項２に記載の情報表示制御装置において、
前記ユーザの活動状態にはプライベート状態でかつスポーツ状態が含まれ、
前記表示態様切替え制御手段は、前記ユーザの活動状態がプライベート状態でかつスポーツ状態であるとき、時計画像の時分を段階的に変動させて表示することを特徴とする情報表示制御装置。
＜請求項５＞
請求項２に記載の情報表示制御装置において、
前記ユーザの活動状態にはプライベート状態でかつ安静状態であって予定がある場合が含まれ、
前記表示態様切替え制御手段は、前記ユーザの活動状態がプライベート状態でかつ安静状態であって予定があるとき、時計画像の時分を予定時刻に合わせて段階的に変動させて表示することを特徴とする情報表示制御装置。
＜請求項６＞
表示画面とユーザの環境情報を取得する環境情報取得手段とを有するコンピュータに、
前記環境情報取得手段により取得されたユーザの環境情報に基づいて、ユーザの活動状態を判別する活動状態判別機能と、
前記活動状態判別機能により判別されたユーザの活動状態に応じて、前記表示画面の表示態様を切り替える制御を行なう表示態様切替え制御機能と、
を実現させることを特徴とする表示態様切替え処理プログラム。
＜請求項７＞
表示画面とユーザの環境情報を取得する環境情報取得手段とを有する携帯端末と、前記携帯端末との間で通信可能なサーバとを、備える表示態様切替え処理システムにおいて、
前記サーバが、前記環境情報取得手段により取得されたユーザの環境情報に基づいて、ユーザの活動状態を判別する活動状態判別手段を有し、
前記携帯端末が、前記ユーザの活動状態に応じて、前記表示画面の表示態様を切り替える制御を行なう表示態様切替え制御手段を有することを特徴とする表示態様切替え処理システム。
【符号の説明】
【００３８】
１  表示態様切替え処理システム
１０  リスト端末
２０  携帯電話
３０  ＣＰＵ
３２  タッチ画面
３４  位置センサ
３６  加速度センサ
３８  照度センサ
４０  メモリ
４０ａ  表示態様切替え処理プログラム
４２  無線通信部
４４  近距離通信部
５０  ネットサーバ
５２  近距離通信端末
６０  ネットワーク
６２  Ｗｉ−Ｆｉ基地局
６４  携帯基地局
【図３】
2014182546.tif 000003
【図４】
2014182546.tif 000004
【図５】
2014182546.tif 000005
【図６】
2014182546.tif 000006
【図９】
2014182546.tif 000007
【図１】
2014182546.tif 000008
【図２】
2014182546.tif 000009
【図７】
2014182546.tif 000010
【図８】
2014182546.tif 000011
【図１０】
2014182546.tif 000012
【図１１】
2014182546.tif 000013